(57)【特許請求の範囲】
【請求項１】
建物の壁面に沿って配設されるエアコン用冷媒管を収容して保護する保護カバーと、その保護カバーにつながるとともに前記冷媒管を収容して保護する付属保護カバーとからなり、
前記保護カバーは、前記エアコンの室内機からの水が通過するドレン部を一体的に備え、
前記付属保護カバーは、前記ドレン部に接続されるとともに前記室内機からの水が通過するドレン連結管を備えることを特徴とする、エアコン用冷媒管の保護カバー装置。
【請求項２】
請求項１に記載の保護カバー装置であって、前記ドレン連結管は、前記付属保護カバーに一体的に備わることを特徴とする、エアコン用冷媒管の保護カバー装置。
【請求項３】
請求項１または２に記載の保護カバー装置であって、前記ドレン部は、互いに離れて位置するようにして複数形成されていることを特徴とする、エアコン用冷媒管の保護カバー装置。
【発明の詳細な説明】
【０００１】
【発明の属する技術分野】
この発明は、ドレンチューブの収容作業を不要にした、エアコン用冷媒管の保護カバー装置に関するものである。
【０００２】
【従来の技術および発明が解決しようとする課題】
従来、エアコン用冷媒管の保護カバー２１として、例えば、図７に示すものがあった。かかる保護カバー２１には、冷媒管２２、２２、電線２３、２３の他に、エアコンの室内機に溜まった水を排出するためのドレンチューブ２４が収容された。
【０００３】
しかし、この保護カバー２１においては、保護カバー２１内に、冷媒管２２、２２、電線２３、２３の他に、ドレンチューブ２４までも収容しなければならず、その作業が面倒であった。
【０００４】
この発明は、上記した従来の欠点を解決するためになされたものであり、その目的とするところは、ドレンチューブの収容作業を不要にした、エアコン用冷媒管の保護カバー装置を提供することにある。
【０００５】
【課題を解決するための手段】
この発明に係るエアコン用冷媒管の保護カバー装置は、前記目的を達成するために、次の構成からなる。すなわち、
【０００６】
【０００７】
請求項１に記載の発明に係る、エアコン用冷媒管の保護カバー装置は、建物の壁面に沿って配設されるエアコン用冷媒管を収容して保護する保護カバーと、その保護カバーにつながるとともに前記冷媒管を収容して保護する付属保護カバーとからなる。そして、前記保護カバーは、前記エアコンの室内機からの水が通過するドレン部を一体的に備える。さらに、前記付属保護カバーは、前記ドレン部に接続されるとともに前記室内機からの水が通過するドレン連結管を備える。こうして、保護カバーが、ドレン部を一体的に備えることで、エアコンの室内機に接続されて保護カバー内に収容されるはずのドレンチューブを別途用意する必要がない。そして、付属保護カバーは、保護カバーにつながれ、また、ドレン連結管は、保護カバーのドレン部に接続されてエアコンの室内機からの水が通過する。
【０００８】
また、請求項２に記載の発明に係る、エアコン用冷媒管の保護カバー装置のように、前記ドレン連結管は、前記付属保護カバーに一体的に備わってもよい。これにより、付属保護カバーを保護カバーにつなぐと、それと同時に自動的に、付属保護カバーに一体的に備わるドレン連結管は、保護カバーのドレン部に接続される。
【０００９】
また、請求項３に記載の発明に係る、エアコン用冷媒管の保護カバー装置のように、前記ドレン部は、互いに離れて位置するようにして複数形成されてもよい。
【００１０】
【発明の実施の形態】
以下、この発明に係るエアコン用冷媒管の保護カバー装置の実施の形態を図面に基づいて説明する。
【００１１】
図１ないし図５は、本発明に係るエアコン用冷媒管の保護カバー装置の一実施の形態を示す。図中符号１は、建物の壁面としての外壁面であり、１ａは、その外壁面１に穿設されて、建物の内外に連通する開口孔である。２は、エアコン用冷媒管であり、エアコンの室内機（図示せず）と室外機（図示せず）とを結ぶように、開口孔１ａに挿通されて、外壁面１に沿って配設される。３および４は、それぞれ、第１の保護カバーおよび第２の保護カバーであり、エアコン用冷媒管２、２を収容して保護する保護カバーとなる。５は、付属保護カバーであり、第１の保護カバー３と第２の保護カバー４とをつなぐように、第１の保護カバー３と第２の保護カバー４のそれぞれにつながるとともに前記冷媒管２、２を収容して保護するものである。６は、エアコンの室内機に接続されたドレン管であり、先端部６ａは、開口孔１ａを通して建物の外に出ている。７は、ドレン連結管であり、ドレン管６および、第１の保護カバー３の後述するドレン部３ｅに接続される。Ｗ１は、ウォールカバーであり、開口孔１ａ並びに、その開口孔１ａから突出する部分の冷媒管２、２およびドレン管６を被うようにして、外壁面１に固定される。そして、これらの内の、第１の保護カバー３および付属保護カバー５が、エアコン用冷媒管２、２を保護する保護カバー装置８を構成している。
【００１２】
ここで、第１の保護カバー３は、図１および図２に示すように、外壁面１に固定される基台３ａと、その基台３ａに嵌着される蓋体３ｂとから構成されており、それら基台３ａおよび蓋体３ｂは、それぞれ、例えば、硬質の合成樹脂材料を押出成形して得られる。基台３ａは、外壁面１に当接する底板部３ｃと、その底板部３ｃの両側の側板部３ｄと、底板部３ｃと側板部３ｄ、３ｄとをつなぐように配置されるとともに、筒状に形成されてエアコンの室内機からの水が通過するドレン部３ｅ、３ｅとからなる。その結果、ドレン部３ｅ、３ｅは、外壁面１側に、互いに離れて位置するようにして複数（図示実施の形態においては互いに対称の関係で位置するように一対）形成されることになる。そして、これら底板部３ｃ、側板部３ｄ、３ｄおよびドレン部３ｅ、３ｅは、押出成形により一体に形成されて、その押出方向である長手方向に直線状に延びている。また、これら底板部３ｃ、側板部３ｄ、３ｄおよびドレン部３ｅ、３ｅにより、冷媒管２、２が収容される収容空間Ｓ１が形成されており、両側板部３ｄ、３ｄの先端部３ｆ、３ｆ間が、冷媒管２、２を収容空間Ｓ１に挿入するための開口部Ｋ１となっている。そして、底板部３ｃには、内側に突出するように、断面コの字形状に折れ曲がった一対の凸条部３ｇ、３ｇが、長手方向に連続して設けられている。これら凸条部３ｇ、３ｇには、長手方向の適宜位置に、この基台３ａをネジ等の取付具により外壁面１に取り付けるための取付孔３ｈ、３ｈが穿設されている。また、それぞれの側板部３ｄ、３ｄは、先端に向かうにしたがって内側に湾曲し、その先端部３ｆ、３ｆに至っては、底板部３ｃ側に向かって延びるまでに湾曲している。さらに、それぞれの側板部３ｄ、３ｄは、その基端部に、外側に開口する係合凹部３ｉ、３ｉが、長手方向に連続して設けられている。
【００１３】
一方、蓋体３ｂは、基台３ａの開口部Ｋ１および両側板部３ｄ、３ｄを被うように、断面略コの字形状に形成されている。そして、蓋体３ｂの両端部には、それぞれ内側に向かって折り返されるようにして突出する係合凸部３ｊ、３ｊが、長手方向に連続して設けられており、これら係合凸部３ｊ、３ｊと前記基台３ａの係合凹部３ｉ、３ｉとが互いに係合することで、基台３ａに蓋体３ｂが嵌着されるようにして固定される構造となっている。また、こうして、基台３ａと蓋体３ｂとが嵌着されて一体化した第１の保護カバー３は、その保護カバー３の長手方向に延びて外壁面１と直交する平面を基準に対称形状となっており、図１において、長手方向側の両端となる上下を反転させても、反転前と同一形状となっている。
【００１４】
第２の保護カバー４は、例えば、硬質の合成樹脂材料からなり、第１の保護カバー３と同一構造同一形状であって、基台４ａと蓋体４ｂとから構成されており、さらに、基台４ａは、底板部４ｃ、側板部４ｄ、４ｄおよび、エアコンの室内機からの水が通過するドレン部４ｅ、４ｅとからなっている。
【００１５】
付属保護カバー５は、図１および図３に示すように、基台５ａと、その基台５ａに嵌着される蓋体５ｂとから構成されており、それら基台５ａおよび蓋体５ｂは、それぞれ、例えば、硬質の合成樹脂材料から樹脂成形して得られる。基台５ａは、外壁面１に当接する底板部５ｃと、エアコンの室内機からの水が通過するドレン連結管５ｄ、５ｄと、第１のリブ５ｅ、５ｅとからなる。底板部５ｃは、幅狭（図１において、縦方向の寸法が短い）で左右に延びており、その延びた両端部５ｆ、５ｆは、外壁面１側とは反対側に円弧状に湾曲している。ドレン連結管５ｄ、５ｄは、底板部５ｃよりも上方および下方に若干延びるようにして、その底板部５ｃの両端部５ｆ、５ｆに内側から重なるように位置している。第１のリブ５ｅ、５ｅは、底板部５ｃとドレン連結管５ｄとに架かるようにして、上下に並んで形成されており、上側のリブ５ｅの上面は、底板部５ｃの上端面と同一面となっており、同様にして、下側のリブ５ｅの下面は、底板部５ｃの下端面と同一面となっている。
【００１６】
一方、蓋体５ｂは、被い部５ｇと、第２のリブ５ｈ、５ｈとからなる。被い部５ｇは、幅広（図１において、縦方向の寸法が長い）で、断面略コの字形状となるように延びており、その両端部５ｉ、５ｉは、底板部５ｃの両端部５ｆ、５ｆに外側から重なるようにして、その両端部５ｆ、５ｆに係合するように、内側に円弧状に湾曲している。そして、第２のリブ５ｈ、５ｈは、被い部５ｇの各端部５ｉ近くから内側に突出するようにして、上下に並んで形成されており、被い部５ｇの各端部５ｉが底板部５ｃの各端部５ｆに係合したとき、この第２のリブ５ｈ、５ｈが、底板部５ｃの端面５ｊおよびドレン連結管５ｄに当接するようになっている。このようにして、底板部５ｃの両端部５ｆ、５ｆに被い部５ｇの両端部５ｉ、５ｉが係合するとともに、底板部５ｃの端面５ｊ、５ｊおよぴドレン連結管５ｄ、５ｄに第２のリブ５ｈ、５ｈが当接することにより、基台５ａに蓋体５ｂが嵌着されるようにして固定される構造となっている。また、このようにして、これら基台５ａおよび蓋体５ｂにより、冷媒管２、２が収容される収容空間Ｓ３が形成されている。また、このとき、第２のリブ５ｈ、５ｈは、上下に並んだ、上側のリブ５ｈの上面が、底板部５ｃの上端面と同一面となっており、同様にして、下側のリブ５ｈの下面が、底板部５ｃの下端面と同一面となっている。こうして、付属保護カバー５は、その底板部５ｃの上端面および上側のリブ５ｅ、５ｅ、５ｈ、５ｈの上面が、第１の保護カバー３の下端面が当接する上側当接面５ｋとなっており、同様にして、底板部５ｃの下端面および下側のリブ５ｅ、５ｅ、５ｈ、５ｈの下面が、第２の保護カバー４の上端面が当接する下側当接面５ｍとなっている。
【００１７】
図４および図５は、保護カバー装置８における、第１の保護カバー３と第２の保護カバー４とのつなぎ部分の、縦断面図および横断面図である。ここで、第１の保護カバー３の下端面は、付属保護カバー５の上側当接面５ｋと突き合わされ、そして、第２の保護カバー４の上端面は、付属保護カバー５の下側当接面５ｍと突き合わされる。このとき、付属保護カバー５の蓋体５ｂの上部部分が、第１の保護カバー３の下部部分を被い、蓋体５ｂの下部部分が、第２の保護カバー４の上部部分を被うようにして、これら第１の保護カバー３と第２の保護カバー４とは、付属保護カバー５を介してつながれる。これと同時に、付属保護カバー５のドレン連結管５ｄ、５ｄの上部部分は、第１の保護カバー３のドレン部３ｅ、３ｅの下部部分に差し込まれるようにして、そのドレン部３ｅ、３ｅに接続され、ドレン連結管５ｄ、５ｄの下部部分は、第２の保護カバー４の、他のドレン要素としてのドレン部４ｅ、４ｅの上部部分に差し込まれるようにして、そのドレン部４ｅ、４ｅに接続されて、これら第１の保護カバー３のドレン部３ｅ、３ｅと第２の保護カバー４のドレン部４ｅ、４ｅとは、ドレン連結管５ｄ、５ｄを介してつながれる。
【００１８】
また、ドレン連結管７は、エアコンの室内機からの水が通過するように、筒状に形成されるとともに、下側の小径部７ａと上側の大径部７ｂとからなっている。そして、図示実施の形態においては、前記小径部７ａは、第１の保護カバー３の一方（図１において右側）のドレン部３ｅの上部部分に挿入されるようにして、そのドレン部３ｅに接続され、また、前記大径部７ｂは、他のドレン要素としてのドレン管６の先端部６ａに外側から嵌まるようにして、そのドレン管６に接続される。
【００１９】
次に、以上の構成からなるエアコン用冷媒管の保護カバーおよび保護カバー装置、並びに、ドレン連結管の作用効果について説明する。第１および第２の保護カバー３、４が、ドレン部３ｅ、３ｅ、４ｅ、４ｅをそれぞれ一体的に備えることで、エアコンの室内機に接続されて第１および第２の保護カバー３、４内に収容されるはずのドレンチューブを別途用意する必要がない。したがって、第１および第２の保護カバー３、４への、ドレンチューブの収容作業を不要にすることができる。
【００２０】
また、エアコンの室内機からの水の経路となるドレン経路を施工が容易となるように形成するために、互いに離れて位置するようにして一対形成されたドレン部３ｅ、３ｅ、４ｅ、４ｅのいずれか一方を適宜選択して使用することができる。また、例えば、２台のエアコンの室内機からの水が通過するそれぞれのドレン経路を形成するために、一対のドレン部３ｅ、３ｅ、４ｅ、４ｅの両方をドレン経路として使用することもできる。このようにして、エアコンの室内機からの水の経路となるドレン経路を、状況に応じて適宜設定することができる。
【００２１】
また、ドレン連結管５ｄ、５ｄは、付属保護カバー５に一体的に備わっているので、その付属保護カバー５を、第１の保護カバー３や第２の保護カバー４につなぐと、それと同時に自動的に、ドレン連結管５ｄ、５ｄは、第１の保護カバー３のドレン部３ｅ、３ｅや第２の保護カバー４のドレン部４ｅ、４ｅに接続される。
【００２２】
また、第１および第２の保護カバー３、４は、上下を反転させても同一形状であるので、どちらの向きでも使用することができるので、上下の向きを気にすることなく施工することができ、施工作業が容易となる。
【００２３】
また、第１の保護カバー３、第２の保護カバー４および付属保護カバー５は、硬質材料からなるので、ドレン部３ｅ、４ｅおよびドレン連結管５ｄが、冷媒管２に押されても容易にはつぶれることがなく、したがって、エアコンの室内機からの水が通過するのを妨げることがない。
【００２４】
なお、本発明は、上述した実施の形態に限定されるわけではなく、その他種々の変更が可能である。例えば、第１の保護カバー３や第２の保護カバー４は、基台３ａ、４ａと蓋体３ｂ、４ｂとが別体に形成されていなくとも、図６に示す保護カバー１１のように、外壁面１に当接する基部１１ａ、１１ａと、冷媒管を被う蓋部１１ｂと、エアコンの室内機からの水が通過するドレン部１１ｃ、１１ｃとが継ぎ目なく一体に形成されてもよい。また、第１の保護カバー３や第２の保護カバー４において、ドレン部３ｅ、４ｅは、基台３ａ、４ａと一体に形成されなくとも、基台３ａ、４ａと別体に形成したドレン部３ｅ、４ｅを、嵌着あるいは接着等により基台３ａ、４ａに固定することで、ドレン部３ｅ、４ｅを基台３ａ、４ａと一体化してもよい。
【００２５】
また、第１および第２の保護カバー３、４は、建物の外壁面１に沿って配設される冷媒管２、２を、収容して保護するものでなくとも、建物の内壁面に沿って配設される冷媒管２、２を、収容して保護するものであってもよい。また、第１および第２の保護カバー３、４には、冷媒管２、２だけでなく、その冷媒管２、２とともに電線等を含めて収容してもよい。また、第１および第２の保護カバー３、４において、ドレン部３ｅ、４ｅは、一対（２本）でなくとも、１本でもよく、あるいは３本以上であってもよい。
【００２６】
また、保護カバー装置８は、第１の保護カバー３と付属保護カバー５とから構成されるものでなくとも、第２の保護カバー４と付属保護カバー５とから構成されてもよく、あるいは、第１および第２の保護カバー３、４と付属保護カバー５とから構成されてもよい。
【００２７】
また、付属保護カバー５は、第１の保護カバー３と第２の保護カバー４との両者につながれるものでなくとも、いずれか一方にのみつながれていて、冷媒管２、２を保護するカバーの端末に位置するものであってもよい。また、付属保護カバー５は、基台５ａと蓋体５ｂとが別体に形成されていなくとも、それらが一体に樹脂成形されていてもよい。また、付属保護カバー５において、ドレン連結管５ｄ、５ｄは、基台５ａと一体に形成されなくとも、別体であって固定されて一体化するものであってもよく、また、別体であって固定されることなく分離しているものであってもよい。また、ドレン連結管７は、第１の保護カバー３のドレン部３ｅとドレン管６をつなぐものでなくとも、ドレン部３ｅと他のドレン要素（他の保護カバーのドレン部、その他ドレン管等）とをつなぐものであってもよい。
【００２８】
【発明の効果】
以上、詳述したところから明らかなように、この発明に係るエアコン用冷媒管の保護カバー装置によれば、次の効果がある。
【００２９】
【００３０】
【００３１】
請求項１および３に記載されたエアコン用冷媒管の保護カバー装置によれば、保護カバーに収容されるドレンチューブを別途用意する必要がなく、したがって、保護カバーへの、ドレンチューブの収容作業を不要にすることができる。そして、付属保護カバーにおいては、ドレン部に接続されるドレン連結管が用意されているので、この付属保護カバーに収容されるドレンチューブを別途用意する必要がない。
【００３２】
また、請求項２に記載されたエアコン用冷媒管の保護カバー装置によれば、付属保護カバーを保護カバーにつなぐと、それと同時に自動的に、ドレン連結管を保護カバーのドレン部に接続することができる。
【図面の簡単な説明】
【図１】  この発明に係るエアコン用冷媒管の保護カバー装置の一実施の形態の、分解斜視図である。
【図２】  同じく、第１の保護カバーの平面図である。
【図３】  同じく、付属保護カバーの平面図である。
【図４】  同じく、保護カバー装置の縦断面図である。
【図５】  図４における、Ａ−Ａ線による断面図である。
【図６】  この発明に係るエアコン用冷媒管の保護カバー装置の他の実施の形態の、保護カバーの平面図である。
【図７】  従来の保護カバーの平面図である。
【符号の説明】
１  外壁面（壁面）                  ２  エアコン用冷媒管
３  第１の保護カバー（保護カバー）  ３ｅ  ドレン部
４  第２の保護カバー（保護カバー）  ４ｅ  ドレン部
５  付属保護カバー                  ５ｄ  ドレン連結管
８  保護カバー装置
【図１】
0003763671.tif 000002
【図２】
0003763671.tif 000003
【図３】
0003763671.tif 000004
【図４】
0003763671.tif 000005
【図５】
0003763671.tif 000006
【図６】
0003763671.tif 000007
【図７】
0003763671.tif 000008